(57)【要約】【課題】簡単に交換することができるヒータの取付構造を提供すること。【解決手段】冷却された空気が吹き出されるミドルダクト吹出口４８６を画成するミドルノズル４８１およびアウターノズル４９１と、ミドルノズル４８１とアウターノズル４９１との間に設けられ、ミドルダクト吹出口４８６から吹き出される空気を整流するハニカム４８９と、ハニカム４８９を温めるハニカムヒータ４８８が取り付けられ、かつ、ハニカム４８９の奥方において、アウターノズル４９１に係止され、ミドルノズル４８１に座付六角ネジ４８４により締結されたハニカムヒータ取付部材４８７とを備えるようにした。【選択図】図４
2010203636.tif 000002
【特許請求の範囲】
【請求項１】
冷却された空気が吹き出される吹出口を画成する前後一対のノズルと、
前記一対のノズルの間に設けられ、吹出口から吹き出される空気を整流するハニカムと、
前記ハニカムを温めるハニカムヒータが取り付けられ、かつ、ハニカムの奥方において、一方のノズルに係止され、他方のノズルにネジにより締結されたハニカムヒータ取付部材と
を備えたことを特徴とするヒータの取付構造。
【請求項２】
前記ハニカムヒータ取付部材は、一方のノズルに係止された状態で、他方のノズルに螺合したネジを受け入れ、締結されるＵ字形の溝を有したことを特徴とする請求項１に記載のヒータ取付構造。
【請求項３】
前記ノズルの少なくとも一方は、
ノズルの基端部を構成するノズル本体と、
ノズルヒータが内部に取り付けられ、かつ、先端がノズル本体に係止され、基端がノズル本体にネジにより締結されたノズル先端と
を有したことを特徴とする請求項１または２に記載のヒータ取付構造。
【請求項４】
前記ノズル先端は、先端がノズル本体に係止された場合に、ノズル本体に螺合したネジを受け入れ、締結されるＵ字形の溝を有したことを特徴とする請求項３に記載のヒータ取付構造。
【請求項５】
前記ノズル先端と前記ハニカムヒータ取付部材とは、ノズル本体に螺合した同一のネジでノズル本体に締結されたことを特徴とする請求項３または４に記載のヒータ取付構造。
【発明の詳細な説明】
【技術分野】
【０００１】
本発明は、冷却された空気を整流するハニカムやノズルへの結露を防止するヒータの取付構造に関するものであって、たとえば、オープンショーケースや冷凍冷蔵倉庫の空気吹出口に取り付けられるハニカムやノズルへの結露を防止するヒータの取付構造に関するものである。
【背景技術】
【０００２】
一面に開口部を有する断面コの字形の本体ケースを構成する外箱と内箱との間に、一端が開口に臨んで、空気整流体（ハニカム）を備えた冷気吹出口をなし、他端が冷気吹出口に対向して吸込口をなす冷気循環経路が形成され、冷気循環経路内に配設されたファンにより、庫内空気を冷却器を通して循環させ、開口部に冷気エアカーテンを吹出し形成するとともに庫内を冷却する冷気循環式オープンショーケースが知られている。このオープンショーケースには、シーズヒータ（ハニカムヒータ）が取り付けられたヒータ取付板が庫外側指示部材の空気整流体（ハニカム）の手前側内面上に固着され、シーズヒータ（ハニカムヒータ）が、空気整流体（ハニカム）に近接し、かつ、その庫外側に片寄った状態で冷気吹出口の長手方向に沿って延びている。このように、シーズヒータ（ハニカムヒータ）を備えたオープンショーケースは、空気整流体（ハニカム）の着霜による目詰まりが防止され、冷却性能が良好に保たれる（たとえば、特許文献１参照）。
【０００３】
前面開放形ケース本体の庫内前面に内外２層の冷気エアカーテンを吹出し形成する冷気循環式オープンショーケースであり、内層エアカーテンの冷気吹出口と外層エアカーテンの冷気吹出口の間を仕切ってケース本体の中仕切天井パネルの前端に防露ヒータ（ノズルヒータ）付き導風ノズル組立体を装着した冷気循環式のオープンショーケースが知られている。このオープンショーケースには、ノズル組立体上端部を覆って前方へ庇状に張り出すノズル受具兼用の導風カバーが天井パネルの上面側に設けられ、ノズル組立体は、その背面に結合された固定金具を介して天井パネルの下面に着脱可能にネジ締結されている（たとえば、特許文献２参照）。
【先行技術文献】
【特許文献】
【０００４】
【特許文献１】特開昭６２−１５３６７７号公報
【特許文献２】特開平１０−２０５９７０号公報
【発明の概要】
【発明が解決しようとする課題】
【０００５】
ところで、上述した特許文献１に記載されたオープンショーケースは、ヒータ取付板を締結しているネジを取り外さなければ、ヒータ取付板を取り外すことができなかった。このため、シーズヒータ（ハニカムヒータ）を交換する場合には、ネジを取り外すことにより、ヒータ取付板を取り外し、その後、ヒータ取付板からシーズヒータ（ハニカムヒータ）を取り外さなければ、シーズヒータが交換できなかった。
【０００６】
また、上述した特許文献２に記載されたオープンショーケースは、ノズル組立体を締結しているネジを取り外さなければ、ノズル組立体を取り外すことができなかった。このため、防露ヒータ（ノズルヒータ）を交換する場合には、ネジを取り外すことにより、ノズル組立体を取り外し、その後、ノズル組立体を分解しなければ、防露ヒータ（ノズルヒータ）を交換できなかった。
【０００７】
本発明は、上記に鑑みてなされたものであって、ハニカムやノズルへの結露を防止するヒータをより簡単に交換することができるヒータの取付構造を提供することを目的とする。
【課題を解決するための手段】
【０００８】
上述した課題を解決し、目的を達成するために、本発明は、冷却された空気が吹き出される吹出口を画成する前後一対のノズルと、前記一対のノズルの間に設けられ、吹出口から吹き出される空気を整流するハニカムと、前記ハニカムを温めるハニカムヒータが取り付けられ、かつ、ハニカムの奥方において、一方のノズルに係止され、他方のノズルにネジにより締結されたハニカムヒータ取付部材とを備えたことを特徴とする。
【０００９】
また、本発明は、上記のヒータ取付構造において、前記ハニカムヒータ取付部材は、一方のノズルに係止された状態で、他方のノズルに螺合したネジを受け入れ、締結されるＵ字形の溝を有したことを特徴とする。
【００１０】
また、本発明は、上記のヒータ取付構造において、前記ノズルの少なくとも一方は、ノズルの基端部を構成するノズル本体と、ノズルヒータが内部に取り付けられ、かつ、先端がノズル本体に係止され、基端がノズル本体にネジにより締結されたノズル先端とを有したことを特徴とする。
【００１１】
また、本発明は、上記のヒータ取付構造において、前記ノズル先端は、先端がノズル本体に係止された場合に、ノズル本体に螺合したネジを受け入れ、締結されるＵ字形の溝を有したことを特徴とする。
【００１２】
また、本発明は、上記のヒータ取付構造において、前記ノズル先端と前記ハニカムヒータ取付部材とは、ノズル本体に螺合した同一のネジでノズル本体に締結されたことを特徴とする。
【発明の効果】
【００１３】
本発明にかかるヒータの取付構造は、ハニカムヒータ取付部材がハニカムの奥方において、一方のノズルに係止され、他方のノズルにネジにより締結されているので、ネジを取り外せば、ハニカムヒータ取付部材を簡単に取り外すことができる。したがって、ハニカムヒータ取付部材に取り付けられたハニカムヒータを簡単に交換できる。
【００１４】
また、ハニカムヒータ取付部材は、一方のノズルに係止された状態で、他方のノズルに螺合したネジを受け入れ、締結されるＵ字形の溝を有したので、ネジを緩めただけで、ハニカムヒータ取付部材を取り外すことができる。
【００１５】
また、ノズルは、ノズル本体と、先端がノズル本体に係止され、基端がノズル本体にネジにより締結されたノズル先端とを有しているので、ネジを取り外せば、ノズル先端を簡単に取り外すことができる。したがって、ノズル先端に取り付けられたノズルヒータを簡単に交換できる。
【００１６】
また、ノズル先端は、先端がノズル本体に係止された場合に、ノズル本体に螺合したネジを受け入れ、締結されるＵ字形の溝を有したので、ネジを緩めただけで、ノズル先端を取り外すことができる。
【００１７】
また、ノズル先端とハニカムヒータ取付部材とは、ノズル本体に螺合した同一のネジでノズル本体に締結されているので、ネジを取り外せば、ハニカムヒータ取付部材とノズル先端とを取り外すことができる。
【図面の簡単な説明】
【００１８】
【図１】図１は、本発明の実施の形態であるヒータ取付構造が適用されたピッキング用冷凍冷蔵倉庫を示す側断面図である。
【図２】図２は、本発明の実施の形態であるヒータ取付構造を適用してヒータが取り付けられた吹出口を示す側断面図である。
【図３】図３は、ヒータが取り付けられたノズルを示す斜視図である。
【図４】図４は、図２に示したミドル吹出口を示す拡大側断面図である。
【図５】図５は、図２に示したミドル吹出口を示す概念斜視図である。
【図６】図６は、図２に示したミドル吹出口を示す概念斜視図である。
【図７】図７は、ヒータが取り付けられたヒータ取付部材を示す斜視図である。
【発明を実施するための形態】
【００１９】
以下に、本発明にかかるヒータの取付構造の実施の形態を図面に基づいて詳細に説明する。なお、この実施の形態によりこの発明が限定されるものではない。
【００２０】
ここでは、ピッキング用冷凍冷蔵倉庫の冷気吹出口に適用されたヒータの取付構造を説明するが、ピッキング用冷凍冷蔵倉庫の冷気吹出口に限定されるものではなく、開口にエアカーテンが形成されるものに適用可能であって、たとえば、開口した前面にエアカーテンが形成されるオープンショーケースにも適用可能である。
【００２１】
ピッキング用冷凍冷蔵倉庫２は、オペレータによって取り出される商品が陳列された状態で収納される倉庫であって、配送センタの建屋の内部に構築されている。ピッキング用冷凍冷蔵倉庫２は、プレハブ倉庫であって、プレハブ断熱材で構成されている。このピッキング用冷凍冷蔵倉庫２は、前方領域を収納陳列領域４とし、後方領域を収容搬送領域６としている。収納陳列領域（前方領域）４は、床から天井までの高さが２メートル５０センチメートル程度であり、前面が開口し、商品を陳列する陳列・ピッキング部（棚装置）４１の設置を可能にしている。収容搬送領域（後方領域）６は、大型の設備機械（たとえば、後述する商品投入搬送装置）の設置を可能にしている。
【００２２】
収納陳列領域４には、複数台の陳列・ピッキング部（棚装置）４１が横並びとなるように設置してある。陳列・ピッキング部４１は、商品を保管するピッキング用棚装置であって、前面及び後面が開口している。
【００２３】
陳列・ピッキング部４１には、上下方向に複数段（本実施の形態の陳列・ピッキング部４１は、四段）の傾斜流動棚４２が架設してある。傾斜流動棚４２は、後方から前方に向けて漸次低くなるように傾斜する態様で架設してあり、後方から投入された商品は、傾斜流動棚４２の上面を転動又は滑走することにより、前方に搬送され、前方から後方に向けて順次収納されるようになっている。
【００２４】
傾斜流動棚４２は、複数種類（本実施の形態の傾斜流動棚は６種類）の商品が保管可能であって、その前縁には、商品種類に対応するように、ＬＥＤ表示パネル４３が配設してある。
【００２５】
たとえば、本実施の形態の一の傾斜流動棚４２は、６種類の商品が保管可能であるから、一の傾斜流動棚４２を６等分し、それぞれの前縁にＬＥＤ表示パネル４３が配設してある。したがって、本実施の形態の陳列・ピッキング部４１は、２４個のＬＥＤ表示パネル４３が配設してある。
【００２６】
ＬＥＤ表示パネル４３は、後方から投入された商品を受け止め、商品を整列させるとともに、取り出す商品が保管されている保管位置を明示するものである。すなわち、ＬＥＤ表示パネル４３は、フェンスとして機能するとともに、ピッキング指示パネルとしても機能するようになっている。
【００２７】
また、最上段となる傾斜流動棚４２の上方となる収納陳列領域４の天井には、後方から前方に延在するダクト４５が配設してある。ダクト４５は、ピッキング用冷凍冷蔵倉庫２の前面開口に低温のエアカーテンを生成するためのものであり、後端が開口している。この後端開口には、送風ファン（送風装置）４６が配設してある。送風ファン４６は、陳列・ピッキング部４１の奥方、すなわち、ピッキング用冷凍冷蔵倉庫２の収容搬送領域６から空気を導入するものである。
【００２８】
ダクト４５の内部は、仕切板４５ａによって、上下に仕切られ、下側がインナーダクト４７を構成し、上側がミドルダクト４８を構成するようになっている。そして、ダクト４５に導入された空気は、インナーダクト４７とミドルダクト４８とに分配されるようになっている。
【００２９】
インナーダクト４７は、分配された空気を冷却し、ピッキング用冷凍冷蔵倉庫２の前面開口内側に低温（たとえば、摂氏−３０度）のエアカーテンを生成するためのもので、インナーダクト４７の内部には、蒸発器（エボパレータ）４７１が設置してあり、ダクト４５の後端開口から導入され、分配された空気は、蒸発器４７１の周囲を通過する際に摂氏−３０度程度まで冷却されるようになっている。
【００３０】
ミドルダクト４８は、分配された空気をピッキング用冷凍冷蔵倉庫２の前面開口内側であって、インナーダクト４７が生成するエアカーテンよりも外側に低温（たとえば、摂氏−２５度）のエアカーテンを生成するようになっている。
【００３１】
図２に示すように、インナーダクト４７を画成するダクト４５の前端部下縁には、下方に延在するインナーノズル４７２が取り付けてあり、インナーダクト４７とミドルダクト４８を仕切る仕切板４５ａから下方に延びる仕切板４５ｂの下面には、下方に延在するミドルノズル４８１（ミドルノズル本体４８２）が取り付けてある。そして、インナーノズル４７２とミドルノズル４８１（ミドルノズル本体４８２）とは、ピッキング用冷凍冷蔵倉庫２の前面開口内側において、下方に向かって開口し、インナーダクト４７に連通するインナー吹出口４７３を構成している。
【００３２】
また、インナーノズル４７２のミドルノズル４８１に対向する部分には、座付六角ネジ４７４が螺合しており、ミドルノズル４８１（ミドルノズル本体４８２）のインナーノズル４７２に対向する部分には、矩形の係止穴（図示せず）が形成してある。そして、これらを用いてハニカムヒータ取付部材４７５が取り付けられている。ハニカムヒータ取付部材４７５は、左右方向に複数の矩形穴（図示せず）が設けられた鋼板を側面視クランク状となるように、折り曲げて形成したものであって、矩形穴をまたぐようにハニカムヒータ４７６が取り付けられている。そして、ハニカムヒータ取付部材４７５の上方に延びる取付板部４７５ａには、一部を切り欠いて奥方に折り曲げた爪（図示せず）が形成してあり、上述した係止穴に係止されるようになっている。また、ハニカムヒータ取付部材４７５の下方に延びる取付板部４７５ｂには、上方が開口されたＵ字形の溝（図示せず）が形成してあり、上述した爪が係止穴に係止された状態で、上述した座付六角ネジ４７４を受け入れ、締結されるようになっている。
【００３３】
インナーノズル４７２とミドルノズル４８１（ミドルノズル本体４８２）との間であって、ハニカムヒータ取付部材４７５の下方には、ハニカム（整流体）４７７が取り付けてある。そして、インナーダクト４７から供給され、ハニカム（整流体）４７７を通過した空気は整流され、下方に向かって流れるようになっている。
【００３４】
ミドルノズル４８１は、ミドルノズル本体４８２とミドルノズル先端４８３とにより構成されている。ミドルノズル本体４８２は、仕切板４５ｂの下面に取り付けられ、ミドルノズル４８１の基端部を構成するようになっている。そして、ミドルノズル本体４８２には、座付六角ネジ４８４が螺合しており、この座付六角ネジ４８４を用いてミドルノズル先端４８３が取り付けられている。ミドルノズル先端４８３の内部には、ノズルヒータ４８５が取り付けられている。そして、ミドルノズル先端４８３の先端は、折り返してあり、ミドルノズル本体４８２の先端（下端）に係止されるようになっている。また、図３に示すように、ミドルノズル先端４８３の基端には、上方が開口したＵ字形の溝４８３ａが形成してあり、先端がミドルノズル本体に係止された場合に、上述した座付六角ネジ４８４を受け入れ、締結されるようになっている。
【００３５】
図２および図４に示すように、ミドルダクト４８を画成するピッキング用冷凍冷蔵倉庫２の前面開口下面から下方に向かって延びる壁体４５ｃの下面には、下方に延在するアウターノズル４９１（アウターノズル本体４９２）が取り付けてある。そして、ミドルノズル４８１とアウターノズル４９１とは、ピッキング用冷凍冷蔵倉庫２の前面開口内側において、下方に向かって開口し、ミドルダクト４８に連通するミドルダクト吹出口４８６を構成している。
【００３６】
図５および図６に示すように、アウターノズル４９１（アウターノズル本体）のミドルノズル４８１に対向する部分には、矩形の係止穴（図示せず）が形成してある。そして、上述した座付六角ネジ４８４と係止穴とを用いてハニカムヒータ取付部材４８７が取り付けられている。図７に示すように、ハニカムヒータ取付部材４８７は、左右方向に複数の矩形穴４８７ａが設けられた鋼板を側面視クランク状となるように、折り曲げて形成したものであって、矩形穴４８７ａをまたぐようにハニカムヒータ４８８が取り付けられている。そして、ハニカムヒータ取付部材４８７の上方に延びる取付板部４８７ｂには、一部を切り欠いて奥方に折り曲げた爪４８７ｂ１が形成してあり、上述した係止穴に係止されるようになっている。また、ハニカムヒータ取付部材４８７の下方に延びる取付板部４８７ｃには、上方が開口されたＵ字形の溝４８７ｃ１が形成してあり、上述した爪４８７ｂ１が係止穴に係止された状態で、上述した座付六角ネジ４８４を受け入れ、締結されるようになっている。
【００３７】
ミドルノズル４８１（ミドルノズル先端４８３）とアウターノズル４９１（アウターノズル本体４９２）との間であって、ハニカムヒータ取付部材４８７の下方には、ハニカム（整流体）４８９が取り付けてある。そして、ミドルダクト４８から供給され、ハニカム（整流体）４８９を通過した空気は整流され、下方に向かって流れるようになっている。
【００３８】
アウターノズル４９１は、アウターノズル本体４９２とアウターノズル先端４９３とにより構成されている。アウターノズル本体４９２は、壁体４５ｃの下面に取り付けられ、アウターノズル４９１の基端部を構成するようになっている。そして、アウターノズル本体４９２には、座付六角ネジ４９４が螺合しており、この座付六角ネジ４９４を用いてアウターノズル先端４９３が取り付けられている。アウターノズル先端４９３の内部には、ノズルヒータ４９５が取り付けられている。そして、アウターノズル先端４９３の先端は、折り返してあり、アウターノズル本体４９２の先端に係止されるようになっている。また、アウターノズル先端４９３の基端には、上方が開口したＵ字形の溝４９３ａ（図５参照）が形成してあり、先端がアウターノズル本体４９２に係止された場合に、上述した座付六角ネジ４９４を受け入れ、締結されるようになっている。
【００３９】
また、収納陳列領域４の天井前縁には、奥方から前方に延在した後に下方に延在するアウターダクト４９が配設してある。アウターダクト４９は、ピッキング用冷凍冷蔵倉庫２の前面開口外側に室温のエアカーテンを生成するものであり、奥方上面が開口している。この奥方上面開口には、アウターファン（送風装置）４９６が配設してある。このアウターファン４９６は、稼働させると配送センタの建屋（ピッキング用冷凍冷蔵倉庫の天井裏）から空気を導入するようになっている。
【００４０】
そして、アウターノズル４９１とアウターダクト４９とは、ピッキング用冷凍冷蔵倉庫２の前面開口外側において、下方に向かって開口し、アウター吹出口４９７を構成している。
【００４１】
そして、アウターノズル４９１（アウターノズル先端４９３）とアウターダクト４９との間には、ハニカム（整流体）４９８が取り付けてある。そして、アウターダクト４９から供給され、ハニカム（整流対）４９８を通過した空気は、整流され、下方に向かって流れるようになっている。
【００４２】
最下段となる傾斜流動棚４２の前方にリターングリル（開口）５０が形成されるように、フロントパネル５１が床に立設してある。リターングリル５０は、インナーダクト４７の前端開口及びミドルダクト４８の前端開口と対向するように形成され、インナーダクト４７の前端開口及びミドルダクト４８の前端開口から供給され、ピッキング用冷凍冷蔵倉庫２の前面開口にエアカーテンを生成した空気を回収するようになっている。
【００４３】
また、最下段となる傾斜流動棚４２の下方には、吸気ファン５２が傾斜する態様で取り付けてあり、リターングリル５０から回収された空気を収納陳列領域４から収容搬送領域６に送出するようになっている。
【００４４】
収容搬送領域６の床には、前方から後方に延在するダクト（図示せず）が配設してある。ダクトは、リターングリル５０から回収された空気を収容搬送領域６に循環させるためのものであり、前端が最下段となる傾斜流動棚４２と収納陳列領域４の床との間に形成された開口に対向し、開口している。また、後端は、ピッキング用冷凍冷蔵庫の奥壁近傍まで延在し、開口している。また、ダクトの出口近傍となる内部には、循環ファンが配設してある。循環ファンは、最下段となる傾斜流動棚４２と収納陳列領域４との間から送出された空気を吸い込み、奥壁に沿って循環させるようになっている。
【００４５】
収容搬送領域６の天井には、複数台（本実施の形態では３台）のクーリングコイル（冷却装置）（図示せず）が据え付けてある。クーリングコイルは、供給された空気を冷却して、送出するものであり、上述した傾斜流動棚４２に均等に冷却した空気を送出するように、均等に配設してある。クーリングコイルは、空気が通過する際に摂氏−２５度程度まで冷却されるようになっている。また、クーリングコイルの空気送出能力は、ダクト４５に配設した送風ファン４６の数倍の能力を有している。
【００４６】
アウターダクト４９の下方端外側には、ナイトカバー７１と照明装置７２とが並設してある。ナイトカバー７１は、ロールスクリーンのように、巻き上げることにより収納可能なカバーであって、冷凍冷蔵ピッキングシステム稼働中に収納し、稼働を停止した場合に降ろすことにより、ピッキング用冷凍冷蔵倉庫２の前面開口を塞ぐことができるようになっている。照明装置７２は、たとえば、蛍光灯であって、冷凍冷蔵ピッキングシステム稼働中は点灯し、稼働を停止した場合に消灯することができるようになっている。
【００４７】
これら、ナイトカバー７１と照明装置７２とは、傘体７３によって覆われている。傘体７３の前面には、照明装置７２を点灯あるいは消灯させるスイッチ（図示せず）が設けてある。このスイッチは、アウターファン４９６と連動しており、照明装置７２を点灯させた場合にアウターファン４９６が駆動され、照明装置７２を消灯させた場合にアウターファン４９６を停止させるようになっている。
【００４８】
また、このスイッチは、ピッキング用冷凍冷蔵倉庫２の内部温度を調節する温度調節装置に指示信号を与えるようになっている。たとえば、照明装置７２を点灯した場合に設定温度を摂氏−１８度にするように指示し、照明装置７２を消灯した場合に設定温度を摂氏−１５度にするように指示するようになっている。
【００４９】
本発明の実施の形態にかかるヒータの取付構造を適用したピッキング用冷凍冷蔵倉庫２において、クーリングコイル（冷却装置）、送風ファン（送風装置）４６、吸気ファン５２、循環ファン、アウターファン４９６を稼働すると、クーリングコイルの周囲を通過した空気は、摂氏−２５度程度まで冷却され、収納陳列領域（前方領域）４と収容搬送領域（後方領域）６との間に設けられた垂直な壁体（段差）に向けて送出される。送出された空気は、収納陳列領域（前方領域）４と収容搬送領域（後方領域）６との間に設けられた垂直な壁体（段差）に衝突することにより拡散され、クーリングコイルから送風ファン４６に直接空気を送出する場合よりも、空気の流速が遅くなり、送風ファン４６に空気が均等に供給される。
【００５０】
そして、送風ファン４６に供給された空気は、インナーダクト４７とミドルダクト４８とに分配される。インナーダクト４７に分配された空気は、蒸発器（エボパレータ）４７１の周囲を通過する際に摂氏−３０度程度まで冷却され、前端開口からリターングリルに向けて流れることにより、ピッキング用冷凍冷蔵倉庫２の前面開口内側に摂氏−３０度程度のエアカーテンを生成する。一方、ミドルダクト４８に分配された空気は、前端開口からリターングリル５０に向けて流れることにより、インナーダクト４７が生成するエアカーテンよりも外側に摂氏−２５度程度のエアカーテンを生成する。
【００５１】
一方、アウターファン４９６を稼働することにより、配送センタの建屋から導入された空気は、上述したエアカーテンに沿って流れ、エアカーテンを生成する空気の乱れを抑制する。
【００５２】
他方、リターングリル５０から回収された空気は、吸気ファン５２及び循環ファンによって、奥方に送出され、奥壁に沿って循環する。そして、奥壁に沿って循環した空気は、再び、クーリングコイルに供給される。
【００５３】
このように循環され、クーリングコイル、蒸発器（エボパレータ）４７１によって冷却された空気は、ピッキング用冷凍冷蔵倉庫２の内部を冷却する。
【００５４】
また、本発明の実施の形態にかかるヒータの取付構造を適用したピッキング用冷凍冷蔵倉庫２には、商品搬入コンベアによって、外部から商品が搬入される。ピッキング用冷凍冷蔵倉庫２に搬入された商品は、商品一時保管棚に一時保管され、あるいは、商品投入搬送装置によって、陳列・ピッキング部４１の傾斜流動棚４２に投入される。なお、商品一時保管棚に一時保管された商品も順番がきたら商品投入搬送装置によって、陳列・ピッキング部４１の傾斜流動棚４２に順次投入される。
【００５５】
また、本発明の実施の形態にかかるヒータの取付構造を適用したピッキング用冷凍冷蔵倉庫２は、管理装置によって制御され、取り出す商品が保管されている保管位置のＬＥＤ表示パネル４３が点灯される。すると、オペレータは、点灯したＬＥＤ表示パネル４３が示す保管位置が受け持つ棚であるか否かを識別し、自らが受け持つ棚であると識別した場合には、点灯したＬＥＤ表示パネル４３が示す保管位置から商品を取り出すことになる。
【００５６】
上述した本発明の実施の形態にかかるヒータの取付構造を適用したピッキング用冷凍冷蔵倉庫２は、稼働を停止した場合に、ナイトカバー７１を降ろせば、ピッキング用冷凍冷蔵倉庫２の前面開口が塞がれる。つづいて、傘体７３の前面に設けてあるスイッチを操作して照明装置７２を消灯すれば、アウターファン４９６が停止するとともに、設定温度を摂氏−１５度にするように温度調節装置に指示を与える。
【００５７】
上述した本発明の実施の形態にかかるヒータの取付構造を適用したピッキング用冷凍冷蔵倉庫２は、ハニカムヒータ４７６，４８８とノーズヒータ４８５，４９５を稼働させることにより、ハニカム４７７，４８９、ノーズ４８１，４９１における結露を防止する。
【００５８】
上述した本発明の実施の形態であるヒータの取付構造を適用したピッキング用冷凍冷蔵倉庫２において、ハニカムヒータ４７６（４８８）を交換する場合には、ハニカム４７７（４８９）を取り外した後、座付六角ネジ４７４（４８４）を緩めればよい。そして、ハニカムヒータ取付部材４７５（４８７）の下方に延在した取付板部４７５ｂ（４８７ｃ）を下方に引けば、ノズル４７２（４８１）とノズル４８１（４９１）との間からハニカムヒータ４７６（４８８）がハニカムヒータ取付部材４７５（４８７）ごと取り外される。その後、ハニカムヒータ取付部材４７５（４８７）からハニカムヒータ４７６（４８８）を取り外せば、ハニカムヒータ４７６（４８８）が交換できる。
【００５９】
上述した本発明の実施の形態であるヒータの取付構造を適用したピッキング用冷凍冷蔵倉庫２において、ノズルヒータ４８５（４９５）を交換する場合には、ハニカム４８９（４９７）を取り外した後、座付六角ネジ４８４（４９４）を緩めればよい。そして、ノズル先端４８３（４９３）を下方に引けば、ノズル本体４８２（４９２）からノズルヒータ４８５（４９５）がノズル先端４８３（４９３）ごと取り外される。その後、ノズル先端４８３（４９３）からノズルヒータ４８５（４９５）を取り外せば、ノズルヒータ４８５（４９５）が交換できる。
【００６０】
上述した本発明実施の形態であるヒータの取付構造によれば、座付六角ネジ４７４（４８４）を緩め、ハニカムヒータ取付部材４７５（４８７）の下方に延在した取付板部４７５ｂ（４８７ｂを下方に引けば、ノズル４７２（４８１）とノズル４８１（４９１）との間からハニカムヒータ４７６（４８８）がハニカムヒータ取付部材４７５（４８７）ごと取り外すことができるので、ハニカムヒータ４７６（４８８）を簡単に交換することができる。
【００６１】
また、座付六角ネジ４８４（４９４）を緩め、ノズル先端４８３（４９３）を下方に引けば、ノズル本体４８２（４９２）からノズルヒータ４８５（４９５）がノズル先端４８３（４９３）ごと取り外すことができるので、ノズルヒータ４８５（４９５）を簡単に交換することができる。
【符号の説明】
【００６２】
２    ピッキング用冷凍冷蔵倉庫
４    収納陳列領域
４１    陳列・ピッキング部
４２    傾斜流動棚
４３    表示パネル
４５    ダクト
４５ａ    仕切板
４５ｂ    仕切板
４５ｃ    壁体
４６    送風ファン
４７    インナーダクト
４７１    蒸発器
４７２    インナーノズル
４７３    インナー吹出口
４７４    座付六角ネジ
４７５    ハニカムヒータ取付部材
４７５ａ    取付板部
４７５ｂ    取付板部
４７６    ハニカムヒータ
４７７    ハニカム（整流体）
４８    ミドルダクト
４８１    ミドルノズル
４８２    ミドルノズル本体
４８３    ミドルノズル先端
４８３ａ    溝
４８４    座付六角ネジ
４８５    ノズルヒータ
４８６    ミドルダクト吹出口
４８７    ハニカムヒータ取付部材
４８７ａ    矩形穴
４８７ｂ    取付板部
４８７ｂ１    爪
４８７ｃ    取付板部
４８７ｃ１    溝
４８８    ハニカムヒータ
４８９    ハニカム（整流体）
４９    アウターダクト
４９１    アウターノズル
４９２    アウターノズル先端
４９２    アウターノズル本体
４９３    アウターノズル先端
４９３ａ    溝
４９４    座付六角ネジ
４９５    ノズルヒータ
４９６    アウターファン
４９７    アウター吹出口
４９８    ハニカム（整流体）
５０    リターングリル
５１    フロントパネル
５２    吸気ファン
６    収容搬送領域
７１    ナイトカバー
７２    照明装置
７３    傘体
【図１】
2010203636.tif 000003
【図２】
2010203636.tif 000004
【図３】
2010203636.tif 000005
【図４】
2010203636.tif 000006
【図５】
2010203636.tif 000007
【図６】
2010203636.tif 000008
【図７】
2010203636.tif 000009